(57)【要約】外観の品位が高く、強度に優れたレンズ鏡胴及び外装筐体を提供する。スイッチ台座（２０）には、固定枠（１０）に備えられた開口部（１３）を通して、固定枠（１０）の内側に突出する４つの固定用金具装着軸（２５）が備えられる。各固定用金具装着軸（２５）には、先端に固定部（２６）が備えられる。固定部（２６）には、固定用金具（３０）が着脱可能に装着される。固定用金具（３０）は、板バネで構成される。固定用金具装着軸（２５）に装着された固定用金具（３０）は、バネ部（３２）が弾性変形して、固定枠（１０）の内周面に係合する。この結果、スイッチ台座（２０）に対して、固定枠（１０）の内側に引き込む力が作用し、スイッチ台座（２０）のフランジ部（２４）が固定枠（１０）の外周面に押圧されて、スイッチ台座（２０）が固定枠（１０）に固定される。
2020100619.tif 000002
【特許請求の範囲】
【請求項１】
開口部を有する枠体と、
前記開口部を覆うカバー部材と、
前記カバー部材の内面側に備えられ、前記カバー部材で前記開口部を覆った場合に、前記開口部を通して前記枠体の内側に配置される固定部と、
前記固定部及び前記枠体の内壁面部に係合し、前記カバー部材を前記枠体の内側に引き込む方向に付勢するバネ部材と、
を備えたレンズ鏡胴。
【請求項２】
前記開口部は、単一の開口で構成される、
請求項１に記載のレンズ鏡胴。
【請求項３】
前記バネ部材は、板バネで構成され、前記固定部に装着される本体部と、前記枠体の前記内壁面部に係合するバネ部と、を有する、
請求項１又は２に記載のレンズ鏡胴。
【請求項４】
前記枠体は、前記内壁面部に前記バネ部材の前記バネ部の一部が嵌合するバネ部材嵌合部を有し、
前記バネ部材は、前記バネ部の一部が前記バネ部材嵌合部に嵌合して抜け止めされる、
請求項３に記載のレンズ鏡胴。
【請求項５】
前記固定部は、前記バネ部材の前記本体部の一部が差し込まれるスリットを有し、
前記バネ部材は、前記本体部の一部が前記スリットに差し込まれて、前記固定部に装着される、
請求項３又は４に記載のレンズ鏡胴。
【請求項６】
前記固定部は、柱状の凸部の先端に備えられ、かつ、前記凸部の突出方向と直交する方向に前記スリットを有し、
前記バネ部材の前記本体部は、前記スリットに差し込まれる切欠き及び／又は長孔を有する、
請求項５に記載のレンズ鏡胴。
【請求項７】
前記カバー部材は、内面側に電子回路基板を有し、
前記バネ部材は、前記本体部が前記固定部に係合して、前記カバー部材に取り付けられ、前記本体部で前記電子回路基板を覆う、
請求項３から６のいずれか１項に記載のレンズ鏡胴。
【請求項８】
前記カバー部材は、スイッチ部材を有する、
請求項７に記載のレンズ鏡胴。
【請求項９】
前記スイッチ部材が、スライドスイッチである、
請求項８に記載のレンズ鏡胴。
【請求項１０】
前記枠体が、円筒形状を有する、
請求項１から９のいずれか１項に記載のレンズ鏡胴。
【請求項１１】
前記枠体と前記カバー部材との間に装着されるパッキンを更に備えた、
請求項１から１０のいずれか１項に記載のレンズ鏡胴。
【請求項１２】
前記固定部が、前記カバー部材の複数箇所に備えられる、
請求項１から１１のいずれか１項に記載のレンズ鏡胴。
【請求項１３】
前記固定部が、前記カバー部材の中心又は重心に対して対称に配置される、
請求項１２に記載のレンズ鏡胴。
【請求項１４】
前記カバー部材に備えられ、前記枠体の前記開口部の縁に係合する爪部を更に備えた、
請求項１から１１のいずれか１項に記載のレンズ鏡胴。
【請求項１５】
開口部を有する筒状の外装体と、
前記開口部を前記外装体の外側から覆うカバー部材と、
前記カバー部材の内面側に備えられ、前記カバー部材で前記開口部を覆った場合に、前記開口部を通して前記外装体の内側に配置される固定部と、
前記固定部及び前記外装体の内壁面部に係合し、前記カバー部材を前記外装体の内側に引き込む方向に付勢するバネ部材と、
を備えた外装筐体。
【発明の詳細な説明】
【技術分野】
【０００１】
本発明は、レンズ鏡胴及び外装筐体に関する。
【背景技術】
【０００２】
レンズ交換式カメラの交換レンズのレンズ鏡胴には、レンズに備えられた機能をオン、オフしたり、レンズの設定を切り替えたりするためのスイッチが備えられる場合がある。通常、これらのスイッチは、ネジを用いて取り付けられる（たとえば、特許文献１、２等参照）。しかし、ネジを用いてスイッチを取り付けると、ネジが外観に現れて、製品の品位を損なうという欠点がある。これを防止するために、鏡胴の内側からネジで固定する構造とすると、組み立てに手間がかかるという欠点がある。【０００３】
一方、特許文献３には、ネジを使わずにスイッチを取り付ける方法として、鏡胴の内側に着脱自在に取り付けられる支持板によって、鏡胴の内側からスイッチを支持する構造が提案されている。同様に、特許文献４には、ネジを使わずにスイッチを取り付ける方法として、スナップフィットを利用した取り付け構造が提案されている。
【先行技術文献】
【特許文献】
【０００４】
【特許文献１】特開2016-138927号公報
【特許文献２】特開平10-160995号公報
【特許文献３】特開平9-49956号公報
【特許文献４】特開2015-14634号公報
【発明の概要】
【発明が解決しようとする課題】
【０００５】
しかしながら、特許文献３の取り付け構造は、スイッチを支持板で下から支える構造であるため、強度に問題があり、強い力で操作された場合になどに破損するおそれがある。これを防止するために、十分な強度をもって構成すると、各部が大型化し、延いては鏡胴の大径化を招くという欠点がある。【０００６】
また、特許文献４の取り付け構造は、スナップフィットの弾性を利用して取り付ける構造であるが、スナップフィットがスイッチのカバー部材に一体的に成形される構造であるため、取り付けによってカバー部材も変形するおそれがある。カバー部材は外観部品であるため、変形すると、製品の品位を損なうという欠点がある。特に、カバー部材に印刷、塗装等が施されている場合には、変形により印刷等が崩れ、製品の品位が著しく損なわれるという欠点がある。【０００７】
カバー部材の変形は、スナップフィット部分の弾性変形量を十分に確保することで、ある程度防止できるが、そのためにはスナップフィット部分の長さを十分に確保する必要がある。しかし、スナップフィット部分の長さを長くすると、鏡胴の径方向の厚みが増し、全体として鏡胴が大型化するという欠点がある。【０００８】
一方、カバー部材の強度を確保しつつ、スナップフィット部分の長さを短くすると、スナップフィットの根元の部分に過度な負荷がかかり、スナップフィット部分の破損を引き起こすおそれがある。【０００９】
本発明は、このような事情に鑑みてなされたもので、外観の品位が高く、強度に優れたレンズ鏡胴及び外装筐体を提供することを目的とする。
【課題を解決するための手段】
【００１０】
上記課題を解決するための手段は、次のとおりである。【００１１】
（１）開口部を有する枠体と、開口部を覆うカバー部材と、カバー部材の内面側に備えられ、カバー部材で開口部を覆った場合に、開口部を通して枠体の内側に配置される固定部と、固定部及び枠体の内壁面部に係合し、カバー部材を枠体の内側に引き込む方向に付勢するバネ部材と、を備えたレンズ鏡胴。【００１２】
本態様によれば、カバー部材がバネ部材によって枠体に固定される。バネ部材は、枠体の内側において、カバー部材を枠体の内側に引き込む方向に付勢し、カバー部材を枠体に固定する。したがって、固定用の部材であるバネ部材が、枠体の外装に現れることがない。このため、外装の品位が損なわれることがない。また、カバー部材の弾性を利用して固定する方式ではないため、カバー部材の強度を十分に確保できる。これにより、強度及び耐久性を確保できる。【００１３】
（２）開口部は、単一の開口で構成される、（１）のレンズ鏡胴。【００１４】
（３）バネ部材は、板バネで構成され、固定部に装着される本体部と、枠体の内壁面部に係合するバネ部と、を有する、（１）又は（２）のレンズ鏡胴。【００１５】
（４）枠体は、内壁面部にバネ部材のバネ部の一部が嵌合するバネ部材嵌合部を有し、バネ部材は、バネ部の一部がバネ部材嵌合部に嵌合して抜け止めされる、（３）のレンズ鏡胴。【００１６】
（５）固定部は、バネ部材の本体部の一部が差し込まれるスリットを有し、バネ部材は、本体部の一部がスリットに差し込まれて、固定部に装着される、（３）又は（４）のレンズ鏡胴。【００１７】
（６）固定部は、柱状の凸部の先端に備えられ、かつ、凸部の突出方向と直交する方向にスリットを有し、バネ部材の本体部は、スリットに差し込まれる切欠き及び／又は長孔を有する、（５）のレンズ鏡胴。【００１８】
（７）カバー部材は、内面側に電子回路基板を有し、バネ部材は、本体部が固定部に係合して、カバー部材に取り付けられ、本体部で電子回路基板を覆う、（３）から（６）のいずれか一のレンズ鏡胴。【００１９】
（８）カバー部材は、スイッチ部材を有する、（７）のレンズ鏡胴。【００２０】
（９）スイッチ部材が、スライドスイッチである、（８）のレンズ鏡胴。【００２１】
（１０）枠体が、円筒形状を有する、（１）から（９）のいずれか一のレンズ鏡胴。【００２２】
（１１）枠体とカバー部材との間に装着されるパッキンを更に備えた、（１）から（１０）のいずれか一のレンズ鏡胴。【００２３】
（１２）固定部が、カバー部材の複数箇所に備えられる、（１）から（１１）のいずれか一のレンズ鏡胴。【００２４】
（１３）固定部が、カバー部材の中心又は重心に対して対称に配置される、（１２）のレンズ鏡胴。【００２５】
（１４）カバー部材に備えられ、枠体の開口部の縁に係合する爪部を更に備えた、（１）から（１１）のいずれか一のレンズ鏡胴。【００２６】
（１５）開口部を有する筒状の外装体と、開口部を外装体の外側から覆うカバー部材と、カバー部材の内面側に備えられ、カバー部材で開口部を覆った場合に、開口部を通して外装体の内側に配置される固定部と、固定部及び外装体の内壁面部に係合し、カバー部材を外装体の内側に引き込む方向に付勢するバネ部材と、を備えた外装筐体。【００２７】
本態様によれば、カバー部材がバネ部材によって外装体に固定される。バネ部材は、外装体の内側において、カバー部材を外装体の内側に引き込む方向に付勢し、カバー部材を外装体に固定する。したがって、固定用の部材であるバネ部材が、外装体の外装に現れることがない。このため、外装の品位が損なわれることがない。また、カバー部材の弾性を利用して固定する方式ではないため、カバー部材の強度を十分に確保できる。これにより、強度及び耐久性を確保できる。
【発明の効果】
【００２８】
本発明によれば、外観の品位が高く、強度に優れたレンズ鏡胴及び外装筐体を提供できる。
【図面の簡単な説明】
【００２９】
【図１】レンズ鏡胴の外観構成を示す斜視図
【図２】レンズ鏡胴の外観構成を示す正面図
【図３】レンズ鏡胴の外観構成を示す側面図
【図４】レンズ鏡胴の外観構成を示す平面図
【図５】撮影距離範囲切り換えスイッチ及びＯＩＳスイッチの設置部の拡大図
【図６】スイッチ台座の取り付け構造を示す分解斜視図
【図７】スイッチ台座の取り付け部の断面図
【図８】スイッチ台座及び固定用金具の構成を示す斜視図
【図９】固定用金具装着軸の構成を示す部分断面図
【図１０】スイッチ台座の取り付け手順を示す図
【図１１】スイッチ台座の取り付け手順を示す図
【図１２】スイッチ台座の取り付け手順を示す図
【図１３】スイッチ台座及び固定用金具の構成を示す斜視図
【図１４】スイッチ台座の取り付け部の概略構成を示す図
【図１５】図１４の１５−１５断面図
【発明を実施するための形態】
【００３０】
以下、添付図面に従って本発明を実施するための好ましい形態について詳説する。
【００３１】
［第１の実施の形態］
ここでは、本発明をレンズ交換式カメラの交換レンズのレンズ鏡胴に適用した場合を例に説明する。
【００３２】
［構成］
図１は、レンズ鏡胴の外観構成を示す斜視図である。図２は、レンズ鏡胴の外観構成を示す正面図である。図３は、レンズ鏡胴の外観構成を示す側面図である。図４は、レンズ鏡胴の外観構成を示す平面図である。
【００３３】
このレンズ鏡胴１は、光学式手ぶれ補正機能（Optical Image Stabilizer, OIS）を備えたズームレンズのレンズ鏡胴である。
【００３４】
レンズ鏡胴１の基端部には、マウント２が備えられる。レンズ鏡胴１は、このマウント２を介してカメラボディ（図示せず）に着脱自在に装着される。
【００３５】
レンズ鏡胴１の外周には、フォーカスリング３、ズームリング４及び絞りリング５が備えられる。フォーカスリング３は、手動で焦点調節する場合の操作部材であり、円周方向に回転操作される。ズームリング４は、ズームする場合の操作部材であり、円周方向に回転操作される。絞りリング５は、手動で絞り値を設定する場合の操作部材であり、円周方向に回転操作される。絞りリング５には、クリックストップ機構が備えられ、設定可能な絞り値ごとにクリックストップされる。
【００３６】
また、レンズ鏡胴１には、その外装を構成する固定枠１０の外周に撮影距離範囲切り換えスイッチ１１及びＯＩＳ（Optical Image Stabilizer）スイッチ１２が備えられる。
【００３７】
図５は、撮影距離範囲切り換えスイッチ及びＯＩＳスイッチの設置部の拡大図である。
【００３８】
撮影距離範囲切り換えスイッチ１１は、オートフォーカス（Autofocus, AF）の駆動範囲を切り換えるスイッチである。撮影距離範囲切り換えスイッチ１１は、クリックストップ機能を備えたスライドスイッチで構成され、第１位置（図５の「ＦＵＬＬ」の位置）と第２位置（図５の「５ｍ−∞」の位置）との間を光軸方向に沿ってスライド操作される。撮影距離範囲切り換えスイッチ１１が第１位置（図５の「ＦＵＬＬ」の位置）に設定されると、オートフォーカスが全範囲（最短撮影距離（Minimum Object Distance, MOD）から無限遠（∞））で駆動される。一方、撮影距離範囲切り換えスイッチ１１が第２位置（図５の「５ｍ−∞」の位置）に設定されると、撮影距離が５ｍから無限遠の範囲に限定されて、オートフォーカスが駆動される。すなわち、焦点が合う範囲が５ｍから無限遠の範囲に限定される。撮影距離範囲切り換えスイッチ１１を第２位置に設定することにより、遠方の被写体に焦点を合わせる際の合焦速度を高速化できる。図５は、撮影距離範囲切り換えスイッチ１１を第２位置に設定した状態を示している。
【００３９】
ＯＩＳスイッチ１２は、光学式手ぶれ補正機能のオン、オフを切り換えるスイッチである。ＯＩＳスイッチ１２は、クリックストップ機能を備えたスライドスイッチで構成され、ＯＮ位置（図５の「ＯＮ」の位置）とＯＦＦ位置（図５の「ＯＦＦ」の位置）との間を光軸方向に沿ってスライド操作される。ＯＩＳスイッチ１２がＯＮ位置に設定されると、光学式手ぶれ補正機能がオンされ、ＯＦＦ位置に設定されると、光学式手ぶれ補正機能がオフされる。図５は、ＯＩＳスイッチ１２をＯＦＦ位置に設定した状態を示している。
【００４０】
撮影距離範囲切り換えスイッチ１１及びＯＩＳスイッチ１２は、そのクリックストップ機構及び電子回路基板等と共に共通のスイッチ台座２０に組み付けられて、スイッチアッセンブリとして、レンズ鏡胴１に組み付けられる。このスイッチアッセンブリは、スイッチ台座２０を固定枠１０に組み付けることにより、レンズ鏡胴１に組み付けられる。撮影距離範囲切り換えスイッチ１１及びＯＩＳスイッチ１２は、スイッチ部材の一例である。
【００４１】
図６は、スイッチ台座の取り付け構造を示す分解斜視図である。また、図７は、スイッチ台座の取り付け部の断面図である。
【００４２】
同図に示すように、固定枠１０は、円筒形状を有し、その周面に単一の開口（貫通孔）で構成された開口部１３を有する。スイッチ台座２０は、この開口部１３を固定枠１０の外側から覆い塞ぐ形（閉塞する形）で固定枠１０に取り付けられる。スイッチ台座２０の固定には固定用金具３０が使用される。固定用金具３０は、スイッチ台座２０を固定枠１０の内側から固定する。本実施の形態のレンズ鏡胴１において、固定枠１０は、枠体及び外装体の一例である。スイッチ台座２０は、カバー部材の一例である。固定用金具３０は、バネ部材の一例である。
【００４３】
図８は、スイッチ台座及び固定用金具の構成を示す斜視図である。
【００４４】
スイッチ台座２０は、スイッチ台座本体２１を有し、そのスイッチ台座本体２１に対して、開口部１３に嵌め込まれる嵌め込み部２２、及び、固定用金具３０が装着される固定用金具装着部２３が一体的に備えられる。
【００４５】
スイッチ台座本体２１は、開口部１３を覆い塞ぐ部位である。スイッチ台座本体２１は、固定枠１０の外周に沿って湾曲した薄板形状を有する。スイッチ台座本体２１は、開口部１３の開口形状に対応した形状を有する。本実施の形態のレンズ鏡胴１では、開口部１３が矩形状を有することから（図６参照）、スイッチ台座本体２１は、矩形状の外形形状を有する。また、そのサイズは開口部１３よりも大きなサイズを有する。すなわち、開口部１３を完全に覆い塞ぐことができるなサイズを有する。
【００４６】
嵌め込み部２２は、開口部１３に嵌め込まれる部位である。嵌め込み部２２は、開口部１３の開口形状に対応した外形形状を有する。嵌め込み部２２は、枠状の突起部としてスイッチ台座本体２１の内面側に一体的に備えられる。スイッチ台座２０を固定枠１０に取り付ける際は、この嵌め込み部２２を開口部１３に嵌め込んで取り付ける。これにより、スイッチ台座２０が固定枠１０に位置決めされる。撮影距離範囲切り換えスイッチ１１及びＯＩＳスイッチ１２のクリックストップ機構及び電子回路基板等は、この嵌め込み部２２の内側に組み付けられる。
【００４７】
スイッチ台座本体２１は、その外周部分が嵌め込み部２２から外側に張り出して構成される。この張り出した部分は、フランジ部２４を構成する。フランジ部２４は、スイッチ台座２０を固定枠１０に取り付けた際に、固定枠１０の外周面に密着される。なお、スイッチ台座２０を固定枠１０に取り付ける際には、図６に示すように、嵌め込み部２２の外周にパッキン４０が装着される。パッキン４０は、フランジ部２４と固定枠１０の外周面との間で押しつぶされて、開口部１３を密閉する。
【００４８】
固定用金具装着部２３は、固定用金具３０が装着される部位である。固定用金具装着部２３は、４つの固定用金具装着軸２５で構成される。４つの固定用金具装着軸２５は、嵌め込み部２２の内側の四隅に備えられる。各固定用金具装着軸２５は、円柱状の凸部で構成され、スイッチ台座２０を固定枠１０に取り付けることにより、開口部１３を通して固定枠１０の内側に突出して配置される。各固定用金具装着軸２５は、平行に設けられる。各固定用金具装着軸２５が突出する方向（突出方向）は、スイッチ台座２０を固定枠１０に取り付けた際に光軸と直交する方向である。
【００４９】
図９は、固定用金具装着軸の構成を示す部分断面図である。
【００５０】
上記のように、固定用金具装着軸２５は、円柱状の凸部で構成される。固定用金具装着軸２５の先端には、固定部２６が備えられる。固定部２６は、固定用金具３０が係合される部位である。固定部２６は、固定用金具装着軸２５の先端に取り付けられたネジ２７で構成される。ネジ２７は、ネジ部２７Ａ、軸部２７Ｂ及び頭部２７Ｃを有する。固定用金具装着軸２５の先端面２５Ａには、その中央にネジ孔２５Ｂが備えられる。ネジ２７は、このネジ孔２５Ｂにネジ部２７Ａをネジ結合させることにより、固定用金具装着軸２５の先端に取り付けられ、かつ、同軸状に取り付けられる。
【００５１】
ネジ２７は、その軸部２７Ｂが、頭部２７Ｃ及び固定用金具装着軸２５よりも小さい径で構成される。また、頭部２７Ｃが、固定用金具装着軸２５よりも小さい径で構成される。この結果、ネジ２７が取り付けられた固定用金具装着軸２５は、ネジ２７の頭部２７Ｃと先端面２５Ａとの間にスリット（凹部）２６Ａが形成される。このスリット２６Ａが、固定用金具３０の係合部として機能する。
【００５２】
各固定用金具装着軸２５において、スリット２６Ａは同じ高さの位置に配置される。すなわち、各固定用金具装着軸２５に備えられるスリット２６Ａは、同一平面上に配置される。この平面は光軸と平行な平面である。本実施の形態のレンズ鏡胴１において、固定用金具装着軸２５は、柱状の凸部の一例である。
【００５３】
固定用金具３０は、板バネで構成され、１枚の金属薄板で構成される。その厚さは、固定用金具装着軸２５の固定部２６に備えられたスリット２６Ａの幅に対応した厚さで構成される。すなわち、固定用金具３０は、スリット２６Ａに差込み可能な厚さを有する。固定用金具３０は、スイッチ台座２０に装着される本体部３１と、固定枠１０の内壁面部に係合するバネ部３２と、を有する。
【００５４】
本体部３１は、矩形の平板形状を有する。本体部３１は、スイッチ台座２０に取り付けた際に、スイッチ台座本体２１の内側のほぼ全面を覆うサイズを有する。
【００５５】
本体部３１には、固定用金具装着部２３への装着部として、一対の切欠き部３３及び一対の長孔部３４が備えられる。
【００５６】
一対の切欠き部３３は、本体部３１の長手方向に沿った片側の辺（長辺）に所定の間隔をもって配置される。切欠き部３３は、その配置方向（本体部３１の長手方向）と直交する方向に切り込まれたＵ字状の溝で構成される。切欠き部３３は、ネジ２７の軸部２７Ｂの外径に対応した幅を有する。すなわち、切欠き部３３は、ネジ２７の軸部２７Ｂが嵌合する幅を有する。
【００５７】
一対の長孔部３４は、本体部３１の長手方向に沿って所定の間隔をもって配置される。長孔部３４は、その配置方向（本体部３１の長手方向）と直交する方向に延びる孔で構成され、大径部３４Ａ及び小径部３４Ｂを有する。大径部３４Ａは、ネジ２７の頭部２７Ｃを挿通可能な径（幅）を有し、小径部３４Ｂに対して切欠き部３３側に配置される。小径部３４Ｂは、ネジ２７の軸部２７Ｂを挿通可能な径（幅）を有する。
【００５８】
一対の切欠き部３３及び一対の長孔部３４は、固定用金具装着部２３を構成する４つの固定用金具装着軸２５と同じ間隔で配置される。すなわち、４つの固定用金具装着軸２５に係合可能な位置に配置される。
【００５９】
固定用金具３０を固定用金具装着部２３に装着する場合は、まず、一対の切欠き部３３及び一対の長孔部３４の位置と４つの固定用金具装着軸２５の位置を合わせる。次に、固定用金具装着軸２５の先端に備えられたネジ２７の頭部２７Ｃを長孔部３４の大径部３４Ａに通す。これにより、固定用金具３０の本体部３１が、各固定用金具装着軸２５の先端面２５Ａの上に載置される。次に、固定用金具３０の本体部３１を切欠き部３３及び長孔部３４に沿ってスライドさせ、長孔部３４の小径部３４Ｂ及び切欠き部３３にネジ２７の軸部２７Ｂを嵌合させる。これにより、固定用金具３０の本体部３１が、各固定用金具装着軸２５の先端に備えられたスリット２６Ａに差し込まれ、固定用金具３０が固定用金具装着部２３に装着される。すなわち、固定用金具３０の本体部３１がスリット２６Ａに挟まれて保持される。この際、固定用金具３０は、光軸とほぼ平行な姿勢で保持される。
【００６０】
固定用金具３０を取り外す場合は、装着とは逆方向に固定用金具３０をスライドさせる。これにより、本体部３１がスリット２６Ａから抜け、固定用金具３０の取り外しが可能になる。固定用金具３０は、長孔部３４の大径部３４Ａからネジ２７の頭部２７Ｃを外すことで、固定用金具装着部２３から取り外される。
【００６１】
このように、固定用金具３０は、固定用金具装着部２３に対してスライドさせることにより、取り付け及び取り外しが行われる。
【００６２】
固定用金具３０を固定用金具装着部２３に装着する際にスライドさせる方向を「装着方向」Ｄ１、固定用金具３０を固定用金具装着部２３から取り外す際にスライドさせる方向を「取り外し方向」Ｄ２とする。装着方向Ｄ１及び取り外し方向Ｄ２は、共に固定用金具３０の長手方向と直交する方向である。また、この方向は、光軸とほぼ平行な方向である。
【００６３】
また、長孔部３４の小径部３４Ｂ及び切欠き部３３にネジ２７の軸部２７Ｂが嵌合する位置を「装着位置」、長孔部３４の大径部３４Ａの位置にネジ２７の頭部２７Ｃが配置される位置を「取り外し位置」とする。装着位置は、固定用金具３０の本体部３１がスリット２６Ａに差し込まれる位置であり、取り外し位置は、固定用金具３０の本体部３１がスリット２６Ａから抜ける位置である。一対の切欠き部３３は、装着方向Ｄ１の前側の辺に備えられ、装着方向Ｄ１の前側に向かって開口して設けられる。また、一対の長孔部３４は、装着方向Ｄ１に沿って配置され、装着方向Ｄ１の前側に大径部３４Ａが備えられる。
【００６４】
バネ部３２は、本体部３１に対して、装着方向の後側の端部に備えられる。バネ部３２は、装着方向と直交する方向に延びる一対の突出部３２Ａを有する。一対の突出部３２Ａは、固定枠１０の内周面（内壁面部）との係合部として機能する。固定用金具３０は、固定枠１０に取り付けられたスイッチ台座２０に装着されると、この一対の突出部３２Ａが固定枠１０の内周面に当接する。当接によりバネ部３２は、弾性変形し、その弾性復元力によって、スイッチ台座２０が内側に付勢される。すなわち、固定枠１０の内側に引き込む方向に付勢される。これにより、スイッチ台座２０が固定枠１０に固定される。
【００６５】
図６に示すように、固定枠１０の内周面（内壁面部）には、バネ部３２の突出部３２Ａが嵌合する環状の溝部１４が備えられる。溝部１４は、バネ部材嵌合部の一例であり、円周方向に沿って形成される。溝部１４は、固定用金具３０が装着位置に位置した場合に、突出部３２Ａが嵌合する位置に備えられる。これにより、固定用金具３０が装着位置すると、溝部１４に突出部３２Ａが嵌合し、取り外し位置に位置すると、溝部１４から突出部３２Ａが外れる。固定用金具３０は、突出部３２Ａが溝部１４に嵌合することにより、スライド方向への移動が規制され、一定位置にロックされる。
【００６６】
［作用］
図１０、図１１及び図１２は、スイッチ台座の取り付け手順を示す図である。
【００６７】
まず、図１０に示すように、固定枠１０に備えられた開口部１３にスイッチ台座２０の嵌め込み部２２を嵌め込む。この際、パッキン４０を嵌め込み部２２の外周に装着して嵌め込む（図６参照）。これにより、固定枠１０に対してスイッチ台座２０が位置決めされる。
【００６８】
次に、図１１に示すように、スイッチ台座２０に対して、固定用金具３０をセットする。すなわち、固定用金具３０に備えられた一対の切欠き部３３及び一対の長孔部３４の位置と４つの固定用金具装着軸２５の位置を合わせ、各固定用金具装着軸２５の先端に備えられたネジ２７の頭部２７Ｃを長孔部３４の大径部３４Ａに通す。これにより、固定用金具３０の本体部３１が、各固定用金具装着軸２５の先端面２５Ａの上に載置され、スイッチ台座２０に対して、固定用金具３０がセットされる。この状態において、固定用金具３０は、「取り外し位置」に位置する。
【００６９】
スイッチ台座２０にセットされた固定用金具３０は、そのバネ部３２を構成する一対の突出部３２Ａが固定枠１０の内周面（内壁面部）に当接する。
【００７０】
次に、固定用金具３０を装着方向Ｄ１にスライドさせ、装着位置に位置させる。この際、固定用金具３０の本体部３１を押して、バネ部３２を撓ませながら、装着方向Ｄ１にスライドさせる。
【００７１】
固定用金具３０が、装着位置に位置すると、長孔部３４の小径部３４Ｂ及び切欠き部３３にネジ２７の軸部２７Ｂが嵌合する。また、これと同時に、固定用金具３０の本体部３１が、各固定用金具装着軸２５の先端に備えられたスリット２６Ａに差し込まれる。
【００７２】
また、固定用金具３０が、装着位置に位置すると、図１２に示すように、固定用金具３０のバネ部３２を構成する一対の突出部３２Ａが、固定枠１０の内周面に備えられた溝部１４に嵌合する。この際、バネ部３２は、撓んだ状態で溝部１４に嵌合する。この結果、バネ部３２に弾性復元力が作用する。この力は、各固定用金具装着軸２５を固定枠１０の内側に向けて引き込む力Ｆとして作用する（図７参照）。スイッチ台座２０は、この力Ｆによって、フランジ部２４が固定枠１０の外周面に押し付けられ、固定枠１０に固定される。また、この力Ｆによって、フランジ部２４に備えられたパッキン４０が押しつぶされ、開口部１３が気密状態で密閉される。
【００７３】
なお、突出部３２Ａが溝部１４に嵌合する際、バネ部３２の作用でクリック音が発生する。また、操作する指にはクリック感が伝わる。取り付けを行う作業者は、このクリック音又はクリック感によって、突出部３２Ａが溝部１４に嵌合したこと、すなわち、装着位置に位置したことを認識できる。
【００７４】
突出部３２Ａが溝部１４に嵌合することにより、固定用金具３０がロックされ、振動及び衝撃等を受けた場合であっても、容易に外れない構造となる。
【００７５】
スイッチ台座２０を固定枠１０から取り外す場合は、上記と逆の手順で取り外しが行われる。まず、固定用金具３０を取り外し方向にスライドさせる。これにより、スリット２６Ａから固定用金具３０の本体部３１が抜け、係合が解除される。この後、固定用金具３０をスイッチ台座２０から取り外すことにより、スイッチ台座２０の取り外しが可能になる。
【００７６】
以上説明したように、本実施の形態のレンズ鏡胴１によれば、スイッチアッセンブリとして、撮影距離範囲切り換えスイッチ１１及びＯＩＳスイッチ１２が組み付けられたスイッチ台座２０を固定枠１０に取り付けることにより、撮影距離範囲切り換えスイッチ１１及びＯＩＳスイッチ１２が、レンズ鏡胴１に組み付けられる。スイッチ台座２０は、ネジを用いずに、固定用金具３０で取り付けるので、外観の品位を損なうことがない。また、固定用金具３０は、スライド操作によって、簡単に取り付け及び取り外しができるので、取り付け及び取り外しの手間を大幅に軽減できる。また、スイッチ台座２０は、フランジ部２４を固定枠１０に押圧当接させて固定する構造のため、繰り返しの操作が行われた場合であっても十分な強度及び耐久性を確保できる。また、スイッチ台座２０の弾性変形を利用するのではなく、固定用金具３０の弾性変形を利用して、スイッチ台座２０を固定する構造であるため、スイッチ台座自体に十分な強度を確保できる。これにより、薄型化も可能になり、延いては、レンズ鏡胴１の外径の小型化も可能になる。
【００７７】
更に、本実施の形態のレンズ鏡胴１によれば、スイッチ台座２０の内面部が、金属製の固定用金具３０で覆われるため、撮影距離範囲切り換えスイッチ１１及びＯＩＳスイッチ１２に対して、シールド性を確保できる。レンズ鏡胴は、小型化のため、内部の構造体が近接して配置される。たとえば、レンズの駆動モータに強力な磁石が使用され、その磁石がスイッチの設置部に近接して配置される場合には、スイッチの信号線などにノイズの影響が出やすくなる。本実施の形態のレンズ鏡胴１では、スイッチ台座２０の内面部が金属製の固定用金具３０で覆われるため、磁気に対するシールド性を確保できる。
【００７８】
［第２の実施の形態］
図１３は、スイッチ台座及び固定用金具の構成を示す斜視図である。
【００７９】
同図に示すように、本実施の形態のスイッチ台座２０は、固定用金具装着部２３が２つの固定用金具装着軸２５で構成される。２つの固定用金具装着軸２５は、スイッチ台座本体２１の中心を通り、装着方向Ｄ１及び取り外し方向Ｄ２と平行な直線に対して、対称に配置される。
【００８０】
固定用金具３０には、固定用金具装着軸２５に対応して、その本体部３１に一対の長孔部３４が備えられる。
【００８１】
本実施の形態のスイッチ台座２０は、固定用金具３０を２箇所で支持する構造となる。このような構造とした場合であっても、上記第１の実施の形態のレンズ鏡胴１と同様にスイッチ台座２０に固定でき、スイッチ台座２０を固定枠１０の内側に向けて付勢して、スイッチ台座２０を固定枠１０に固定できる。
【００８２】
固定用金具装着部２３を構成する固定用金具装着軸２５の数については、スイッチ台座本体２１のサイズ等を考慮して設定することが好ましい。
【００８３】
また、固定用金具装着軸２５を設ける位置については、スイッチ台座本体２１の中心又は重心に対して対称に配置することが好ましい。特に、スイッチ台座本体２１の中心又は重心を通り、装着方向及び取り外し方向と平行な直線に対して対称に配置することが好ましい。
【００８４】
［第３の実施の形態］
図１４は、スイッチ台座の取り付け部の概略構成を示す図である。同図は、スイッチ台座２０の取り付け部を固定枠１０の内側から見た図である。なお、同図では、説明を簡単にするため、スイッチ台座２０に組み付けられるスイッチ等の記載を省略している。図１５は、図１４の１５−１５断面図である。
【００８５】
同図に示すように、本実施の形態のスイッチ台座２０には、スイッチ台座本体２１に爪部２８が一体的に備えられる。爪部２８は、嵌め込み部２２の一部に備えられる。爪部２８は、固定枠１０の開口部１３の縁に係合して、スイッチ台座２０を抜け止めする。
【００８６】
爪部２８は、スイッチ台座本体２１の中心を通り、装着方向Ｄ１及び取り外し方向Ｄ２と平行な直線Ｌ上に配置される。この直線Ｌ上には、固定用金具装着部２３が備えられる。本実施の形態では、固定用金具装着部２３が、１つの固定用金具装着軸２５で構成される。
【００８７】
固定用金具装着軸２５の先端には、固定部２６として、２つのネジ２７が備えられる。２つのネジ２７は、直線Ｌに沿って配置される。各ネジ２７の頭部２７Ｃと固定用金具装着軸２５の先端面との間にはスリット（凹部）２６Ａが形成される。このスリット２６Ａは、固定用金具３０の係合部として機能する。
【００８８】
固定用金具３０には、その本体部３１に切欠き部３３が備えられる。切欠き部３３は、装着方向Ｄ１及び取り外し方向Ｄ２に沿って切り込まれたＵ字状の溝で構成される。切欠き部３３は、ネジ２７の軸部２７Ｂの外径に対応した幅を有する。すなわち、切欠き部３３は、ネジ２７の軸部２７Ｂが嵌合する幅を有する。
【００８９】
なお、本実施の形態では、固定用金具３０が、スイッチ台座２０に取り付けられることにより、スイッチ台座本体２１の内面部の一部を覆う構造とされている。
【００９０】
以上のように構成される本実施の形態のスイッチ台座２０は、次の手順で固定枠１０に取り付けられる。
【００９１】
まず、固定枠１０に備えられた開口部１３にスイッチ台座２０の嵌め込み部２２を嵌め込む。この際、パッキン４０を嵌め込み部２２の外周に装着して嵌め込む。
【００９２】
開口部１３に嵌め込み部２２が嵌め込まれることにより、爪部２８が開口部１３の縁に係合する。これにより、スイッチ台座２０が固定枠１０の外周に仮止めされる。
【００９３】
次に、スイッチ台座２０に対して、固定用金具３０をセットする。すなわち、固定用金具３０に備えられた切欠き部３３の位置と固定用金具装着軸２５の位置を合わせる。
【００９４】
次に、固定用金具３０を装着方向Ｄ１にスライドさせ、装着位置に位置させる。この際、固定用金具３０の本体部３１を押して、バネ部３２を撓ませながら、装着方向Ｄ１にスライドさせる。固定用金具３０が、装着位置に位置すると、切欠き部３３に２つのネジ２７の軸部２７Ｂが嵌合する。また、これと同時に、固定用金具３０の本体部３１が、各固定用金具装着軸２５の先端に備えられたスリット２６Ａに差し込まれる。更に、固定用金具３０のバネ部３２を構成する一対の突出部３２Ａが、固定枠１０の内周面に備えられた溝部１４に嵌合する。この際、バネ部３２は、撓んだ状態で溝部１４に嵌合する。この結果、バネ部３２に弾性復元力が作用する。この力は、各固定用金具装着軸２５を固定枠１０の内側に向けて引き込む力Ｆとして作用する。これにより、スイッチ台座２０が固定枠１０に固定される。
【００９５】
このように、スイッチ台座２０に爪部２８を備えることにより、１箇所で固定用金具３０を支持する構造とすることができる。
【００９６】
なお、本実施の形態では、固定用金具３０を１箇所で支持する構成としているが、爪部を設けた場合であっても、複数箇所で支持する構成とすることもできる。
【００９７】
なお、爪部を設ける位置については、装着方向Ｄ１の前方の辺とすることが好ましい。また、固定用金具装着軸を設ける位置については、爪部を設けた辺と反対側の辺の近傍に備えることが好ましい。
【００９８】
［その他の実施の形態］
［カバー部材の変形例］
上記実施の形態では、本発明をスイッチ台座の取り付けに適用した場合を例に説明したが、本発明の適用は、これに限定されるものではない。この他、たとえば、他の部材の台座の取り付け（たとえば、ＬＣＤ（Liquid Crystal Display)表示パネルが組み付けられた台座の取り付けなど）、開口部を覆うカバー等の取り付け等にも適用できる。
【００９９】
なお、スイッチ台座の取り付けに適用する場合において、スイッチ台座に備えられるスイッチの種類、数等は、特に限定されない。たとえば、１つのボタン式のスイッチを設けてもよい。また、十字キー、シーソースイッチ等を設けてもよい。また、スイッチ以外の部材（たとえば、表示パネル等）が設けられていてもよい。
【０１００】
また、カバー部材が覆う開口部は、単一の開口（貫通孔）で構成されていればよく、その開口の形状については、特に限定されない。したがって、たとえば、開口部の形状は円形状であってもよい。
【０１０１】
［凸部及び固定部の変形例］
上記実施の形態では、凸部である固定用金具装着軸２５の形状を円柱形状としているが、凸部の形状は、特に限定されるものではない。開口部を通して、枠体の内側に突出できる形状であればよい。
【０１０２】
また、凸部は、必ずしもカバー部材に一体成形されている必要はなく、別部材で構成してもよい。すなわち、カバー部材に別途組み付ける構成としてもよい。
【０１０３】
また、上記実施の形態では、凸部に備えられる固定部をネジで構成しているが、一体成形品として構成してもよい。樹脂により一体成形品として構成してもよいし、スリット等を加工して形成してもよい。
【０１０４】
［バネ部材の変形例］
上記実施の形態では、バネ部材を板バネで構成された固定用金具３０で構成しているが、バネ部材の構成は、これに限定されるものではない。スイッチ台座２０（カバー部材）に備えられた固定用金具装着軸２５（凸部）の固定部２６と固定枠１０（枠体）の内壁面部とに係合し、スイッチ台座２０を固定枠１０の内側に引き込む方向に付勢できる構成であればよい。
【０１０５】
また、上記実施の形態では、固定部２６に備えられたスリット２６Ａに板バネで構成された固定用金具３０（バネ部材）を差し込むことにより、固定用金具３０を固定用金具装着軸２５に係合させる構成としているが、固定用金具３０を固定部２６に係合させる形態は、これに限定されるものではない。固定用金具３０を固定用金具装着軸２５に簡単に装着でき、かつ、容易に外れない形態であればよい。この点、上記実施の形態の構造は、固定用金具３０を一方向にスライドさせてスリット２６Ａに差し込むだけなので簡単に装着できる。また、装着後は、容易に外れることがない。
【０１０６】
バネ部の形態についても、特に限定されるものではない。固定枠１０（枠体）の内壁面部に係合し、スイッチ台座２０を固定枠１０の内側に引き込む方向に付勢できる構成であればよい。
【０１０７】
［固定用金具の抜け止めの変形例］
上記実施の形態では、固定用金具３０（バネ部材）に備えられた一対の突出部３２Ａを固定枠１０（枠体）の内周面（内壁面部）に備えられた環状の溝部１４（バネ部材嵌合部）に嵌合させることにより、固定用金具３０を抜け止め（ロック）する構造としているが、スイッチ台座２０（カバー部材）に装着された固定用金具３０の抜け止めの構造は、これに限定されるものではない。装着位置において、少なくとも固定用金具３０の一部に係合し、取り外し方向への移動を規制できる構成であればよい。
【０１０８】
［本発明の適用機器について］
上記実施の形態では、本発明をレンズ交換式カメラの交換レンズのレンズ鏡胴に適用した場合を例に説明したが、本発明の適用は、これに限定されるものではない。レンズ一体式カメラのレンズ鏡胴にも適用できる。また、カメラ以外の光学機器（たとえば、顕微鏡、双眼鏡、望遠鏡等）のレンズ鏡胴にも同様に適用できる。
【０１０９】
また、本発明は、レンズ鏡胴以外にも適用できる。特に、装置の外装を構成する外装筐体の少なくとも一部に筒状の外装体を備えた機器（たとえば、四角い筒状の外装体を備えた電子機器等）については、本発明が有効に作用する。
【符号の説明】
【０１１０】
１  レンズ鏡胴
２  マウント
３  フォーカスリング
４  ズームリング
５  絞りリング
１０  固定枠
１１  撮影距離範囲切り換えスイッチ
１２  ＯＩＳスイッチ
１３  開口部
１４  溝部
２０  スイッチ台座
２１  スイッチ台座本体
２２  嵌め込み部
２３  固定用金具装着部
２４  フランジ部
２５  固定用金具装着軸
２５Ａ  固定用金具装着軸の先端面
２５Ｂ  ネジ孔
２６  固定部
２６Ａ  スリット
２７  ネジ
２７Ａ  ネジのネジ部
２７Ｂ  ネジの軸部
２７Ｃ  ネジの頭部
２８  爪部
３０  固定用金具
３１  固定用金具の本体部
３２  固定用金具のバネ部
３２Ａ  突出部
３３  切欠き部
３４  長孔部
３４Ａ  大径部
３４Ｂ  小径部
４０  パッキン
Ｄ１  固定用金具の装着方向
Ｄ２  固定用金具の取り外し方向
【図１】
2020100619.tif 000003
【図２】
2020100619.tif 000004
【図３】
2020100619.tif 000005
【図４】
2020100619.tif 000006
【図５】
2020100619.tif 000007
【図６】
2020100619.tif 000008
【図７】
2020100619.tif 000009
【図８】
2020100619.tif 000010
【図９】
2020100619.tif 000011
【図１０】
2020100619.tif 000012
【図１１】
2020100619.tif 000013
【図１２】
2020100619.tif 000014
【図１３】
2020100619.tif 000015
【図１４】
2020100619.tif 000016
【図１５】
2020100619.tif 000017
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
開口部を有する枠体と、
前記開口部を覆うカバー部材と、
前記カバー部材の内面側に備えられ、前記カバー部材で前記開口部を覆った場合に、前記開口部に嵌め込まれて前記カバー部材を前記枠体に対し位置決めする嵌め込み部と、
前記カバー部材の内面側に備えられ、前記カバー部材で前記開口部を覆った場合に、前記開口部を通して前記枠体の内側に配置される固定部と、
前記固定部及び前記枠体の内壁面部に係合し、前記カバー部材を前記枠体の内側に引き込む方向に付勢するバネ部材と、
を備えたレンズ鏡胴。
【請求項２】
前記開口部は、単一の開口で構成される、
請求項１に記載のレンズ鏡胴。
【請求項３】
前記バネ部材は、板バネで構成され、前記固定部に装着される本体部と、前記枠体の前記内壁面部に係合するバネ部と、を有する、
請求項１又は２に記載のレンズ鏡胴。
【請求項４】
前記枠体は、前記内壁面部に前記バネ部材の前記バネ部の一部が嵌合するバネ部材嵌合部を有し、
前記バネ部材は、前記バネ部の一部が前記バネ部材嵌合部に嵌合して抜け止めされる、
請求項３に記載のレンズ鏡胴。
【請求項５】
前記固定部は、前記バネ部材の前記本体部の一部が差し込まれるスリットを有し、
前記バネ部材は、前記本体部の一部が前記スリットに差し込まれて、前記固定部に装着される、
請求項３又は４に記載のレンズ鏡胴。
【請求項６】
前記固定部は、柱状の凸部の先端に備えられ、かつ、前記凸部の突出方向と直交する方向に前記スリットを有し、
前記バネ部材の前記本体部は、前記スリットに差し込まれる切欠き及び／又は長孔を有する、
請求項５に記載のレンズ鏡胴。
【請求項７】
前記カバー部材は、内面側に電子回路基板を有し、
前記バネ部材は、前記本体部が前記固定部に係合して、前記カバー部材に取り付けられ、前記本体部で前記電子回路基板を覆う、
請求項３から６のいずれか１項に記載のレンズ鏡胴。
【請求項８】
前記カバー部材は、スイッチ部材を有する、
請求項７に記載のレンズ鏡胴。
【請求項９】
前記スイッチ部材が、スライドスイッチである、
請求項８に記載のレンズ鏡胴。
【請求項１０】
前記枠体が、円筒形状を有する、
請求項１から９のいずれか１項に記載のレンズ鏡胴。
【請求項１１】
前記枠体と前記カバー部材との間に装着されるパッキンを更に備えた、
請求項１から１０のいずれか１項に記載のレンズ鏡胴。
【請求項１２】
前記固定部が、前記カバー部材の複数箇所に備えられる、
請求項１から１１のいずれか１項に記載のレンズ鏡胴。
【請求項１３】
前記固定部が、前記カバー部材の中心又は重心に対して対称に配置される、
請求項１２に記載のレンズ鏡胴。
【請求項１４】
前記カバー部材に備えられ、前記枠体の前記開口部の縁に係合する爪部を更に備えた、
請求項１から１１のいずれか１項に記載のレンズ鏡胴。
【請求項１５】
開口部を有する筒状の外装体と、
前記開口部を前記外装体の外側から覆うカバー部材と、
前記カバー部材の内面側に備えられ、前記カバー部材で前記開口部を覆った場合に、前記開口部に嵌め込まれて前記カバー部材を前記外装体に対し位置決めする嵌め込み部と、
前記カバー部材の内面側に備えられ、前記カバー部材で前記開口部を覆った場合に、前記開口部を通して前記外装体の内側に配置される固定部と、
前記固定部及び前記外装体の内壁面部に係合し、前記カバー部材を前記外装体の内側に引き込む方向に付勢するバネ部材と、
を備えた外装筐体。
【国際調査報告】
2020100619.tif 000018
2020100619.tif 000019
2020100619.tif 000020
2020100619.tif 000021
2020100619.tif 000022